【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
被測定光を波長分離手段で複数の波長成分に分離して、複数の受光手段でそれぞれ受光し、各波長成分の分光強度を求めるようにした分光強度測定装置において、
校正時に前記各受光手段を照明する補正用照明手段と、
前記校正時には、前記補正用照明手段を点灯し、照明された各受光手段からの出力レベルを各受光手段に設定される補正係数と演算した結果が、予め記憶されている基準値と一致するように前記補正係数を校正し、測定時には、各受光手段からの出力レベルを校正された補正係数と演算し、前記各波長成分の分光強度を求める演算制御手段とを含むことを特徴とする分光強度測定装置。
【請求項２】
前記受光手段に隣接して、前記補正用照明手段からの照明光のモニター用に、前記受光手段よりもゲイン変動が小さいモニター用受光手段をさらに備え、
前記演算制御手段は、前記複数の受光手段から得た補正用出力を前記モニター用受光手段の出力で相対化することを特徴とする請求項１記載の分光強度測定装置。
【請求項３】
前記モニター用受光手段の後段のアンプのゲインを高くするとともに、該モニター用受光手段における電流電圧変換回路の帰還抵抗の抵抗値を、１ＭΩ以下とすることを特徴とする請求項２記載の分光強度測定装置。
【請求項４】
前記補正用照明手段の点灯中は、前記被測定光を遮断する遮断手段を備えることを特徴とする請求項１〜３のいずれか１項に記載の分光強度測定装置。
【請求項５】
前記補正用照明手段による照明光は、該補正用照明手段からの直達光であることを特徴とする請求項１〜４のいずれか１項に記載の分光強度測定装置。
【請求項６】
被測定光を複数の波長成分に分離して、各波長成分の分光強度を求めるようにした分光強度測定装置を校正するための方法において、
前記各波長成分に分離された被測定光をそれぞれ受光する複数の受光手段を、校正時に照明する補正用照明手段を設け、
前記補正用照明手段を点灯し、照明された各受光手段からの出力レベルを各受光手段に設定される補正係数と演算した結果が、予め記憶されている基準値と一致するように前記補正係数を校正し、
測定時には、各受光手段からの出力レベルを校正された補正係数と演算し、前記各波長成分の分光強度を求めることを特徴とする分光強度測定装置の校正方法。
【請求項７】
照明手段からの照明光によって照明された被測定試料の反射光および前記照明光そのものである参照光を、波長分離手段でそれぞれ複数の波長成分に分離して、前記反射光および参照光毎に設けられた複数の受光手段でそれぞれ受光し、演算制御手段で相互に対応する各波長成分の受光レベルの相対比を求めることで、前記被測定試料の分光反射特性を求めるようにした分光反射特性測定装置において、
校正時に前記反射光用および参照光用の各受光手段を照明する補正用照明手段を備え、
前記演算制御手段は、前記校正時には、補正用照明手段を点灯し、照明された各受光手段からの出力レベルの相対比を各受光手段に設定される補正係数と演算した結果が、予め記憶されている基準値と一致するように前記補正係数を校正し、測定時には、各受光手段からの出力レベルの相対比を校正された補正係数と演算し、前記各波長成分の相対比を求めることを特徴とする分光反射特性測定装置。
【請求項８】
前記補正用照明手段による照明光は、該補正用照明手段からの直達光であることを特徴とする請求項７記載の分光反射特性測定装置。
【請求項９】
照明手段からの照明光によって照明された被測定試料の反射光および前記照明光そのものである参照光を、それぞれ複数の波長成分に分離して受光し、相互に対応する各波長成分の受光レベルの相対比を求めることで、前記被測定試料の分光反射特性を求めるようにした分光反射特性測定装置を校正するための方法において、
前記反射光および参照光の各波長成分に分離された被測定光をそれぞれ受光する複数の受光手段を、校正時に照明する補正用照明手段を設け、
前記補正用照明手段を点灯し、照明された反射光および参照光用の各受光手段からの相互に対応する各波長成分の受光レベルの相対比を、前記各波長成分に設定される補正係数と演算した結果が、予め記憶されている基準値と一致するように前記補正係数を校正し、
測定時には、前記各波長成分の出力の相対比を校正された補正係数と演算し、前記被測定試料の分光反射特性を求めることを特徴とする分光反射特性測定装置の校正方法。
【手続補正２】
【補正対象書類名】明細書
【補正対象項目名】００１４
【補正方法】変更
【補正の内容】
【００１４】
本発明の一態様の分光強度測定装置は、被測定光を波長分離手段で複数の波長成分に分
離して、複数の受光手段でそれぞれ受光し、各波長成分の分光強度を求めるようにした、分光輝度計と称される分光強度測定装置において、校正時に前記各受光手段を照明する補正用照明手段と、前記校正時には、前記補正用照明手段を点灯し、照明された各受光手段からの出力レベルを各受光手段に設定される補正係数と演算した結果が、予め記憶されている基準値と一致するように前記補正係数を校正し、測定時には、各受光手段からの出力レベルを校正された補正係数と演算し、前記各波長成分の分光強度を求める演算制御手段とを含むことを特徴とする。
【手続補正３】
【補正対象書類名】明細書
【補正対象項目名】００１６
【補正方法】変更
【補正の内容】
【００１６】
このため、上記発明では、各受光手段からの出力レベルを補正するために、各受光手段には補正係数を設定し、演算制御手段において、前記各受光手段からの出力レベルを、たとえばその補正係数と乗算することで、前記湿度に対する補正を行うようにする。そして、比較的短い時間で変化する前記リーク抵抗の抵抗値に対応して、前記補正係数を校正するために、補正用照明手段を設け、これを前記校正時に点灯し、これによって得られた各受光手段からの出力レベルを各受光手段に設定される補正係数と演算した結果が、予め記憶されている基準値と一致するように前記補正係数を校正することで、その時点での前記リーク抵抗によるゲインのずれを補正する。その後、実際の測定にあたっては、その校正された補正係数と各受光手段からの出力レベルとを演算し、前記各波長成分の分光強度を求める。
【手続補正４】
【補正対象書類名】明細書
【補正対象項目名】００２９
【補正方法】変更
【補正の内容】
【００２９】
また、本発明の一態様の分光強度測定装置の校正方法は、被測定光を複数の波長成分に分離して、各波長成分の分光強度を求めるようにした分光強度測定装置を校正するための方法において、前記各波長成分に分離された被測定光をそれぞれ受光する複数の受光手段を、校正時に照明する補正用照明手段を設け、前記補正用照明手段を点灯し、照明された各受光手段からの出力レベルを各受光手段に設定される補正係数と演算した結果が、予め記憶されている基準値と一致するように前記補正係数を校正し、測定時には、各受光手段からの出力レベルを校正された補正係数と演算し、前記各波長成分の分光強度を求めることを特徴とする。
【手続補正５】
【補正対象書類名】明細書
【補正対象項目名】００３１
【補正方法】変更
【補正の内容】
【００３１】
このため、上記発明では、各受光手段からの出力レベルを補正するために、各受光手段には補正係数を設定し、演算制御手段において、前記各受光手段からの出力レベルを、たとえばその補正係数と乗算することで、前記湿度に対する補正を行うようにする。そして、比較的短い時間で変化する前記リーク抵抗の抵抗値に対応して、前記補正係数を設定するために、補正用照明手段を設け、これを前記校正時に点灯し、これによって得られた各受光手段からの出力レベルを各受光手段に設定される補正係数と演算した結果が、予め記憶されている基準値と一致するように前記補正係数を校正することで、その時点での前記リーク抵抗によるゲインのずれを補正する。その後、実際の測定にあたっては、その校正された補正係数と各受光手段からの出力レベルとを演算し、前記各波長成分の分光強度を求める。
【手続補正６】
【補正対象書類名】明細書
【補正対象項目名】００３４
【補正方法】変更
【補正の内容】
【００３４】
さらにまた、本発明の他の態様の分光反射特性測定装置は、照明手段からの照明光によって照明された被測定試料の反射光および前記照明光そのものである参照光を、波長分離手段でそれぞれ複数の波長成分に分離して、前記反射光および参照光毎に設けられた複数の受光手段でそれぞれ受光し、演算制御手段で相互に対応する各波長成分の受光レベルの相対比を求めることで、前記被測定試料の分光反射特性を求めるようにした分光反射特性測定装置において、校正時に前記反射光用および参照光用の各受光手段を照明する補正用照明手段を備え、前記演算制御手段は、前記校正時には、補正用照明手段を点灯し、照明された各受光手段からの出力レベルの相対比を各受光手段に設定される補正係数と演算した結果が、予め記憶されている基準値と一致するように前記補正係数を校正し、測定時には、各受光手段からの出力レベルの相対比を校正された補正係数と演算し、前記各波長成分の相対比を求めることを特徴とする。
【手続補正７】
【補正対象書類名】明細書
【補正対象項目名】００３６
【補正方法】変更
【補正の内容】
【００３６】
このため、上記発明では、各波長成分の出力の相対比を補正するために、各波長成分の前記相対比の補正係数を設定し、演算制御手段において、前記相対比を求めるとともに、たとえばその補正係数と乗算することで、前記湿度に対する補正を行うようにする。そして、比較的短い時間で変化する前記リーク抵抗の抵抗値に対応して、前記補正係数を設定するために、補正用照明手段を設け、これを前記校正時に点灯し、これによって得られた各波長成分の相対比を各波長成分に設定される補正係数と演算した結果が、予め記憶されている基準値と一致するように前記補正係数を校正することで、その時点での前記リーク抵抗によるゲインのずれを補正する。その後、実際の測定にあたっては、その校正された補正係数と各波長成分の相対比とを演算し、前記被測定試料の分光反射特性を求める。
【手続補正８】
【補正対象書類名】明細書
【補正対象項目名】００４２
【補正方法】変更
【補正の内容】
【００４２】
さらにまた、本発明の他の態様の分光強度測定装置の校正方法は、照明手段からの照明光によって照明された被測定試料の反射光および前記照明光そのものである参照光を、それぞれ複数の波長成分に分離して受光し、相互に対応する各波長成分の受光レベルの相対比を求めることで、前記被測定試料の分光反射特性を求めるようにした分光反射特性測定装置を校正するための方法において、前記反射光および参照光の各波長成分に分離された被測定光をそれぞれ受光する複数の受光手段を、校正時に照明する補正用照明手段を設け、前記補正用照明手段を点灯し、照明された反射光および参照光用の各受光手段からの相互に対応する各波長成分の受光レベルの相対比を、前記各波長成分に設定される補正係数と演算した結果が、予め記憶されている基準値と一致するように前記補正係数を校正し、測定時には、前記各波長成分の出力の相対比を校正された補正係数と演算し、前記被測定試料の分光反射特性を求めることを特徴とする。
【手続補正９】
【補正対象書類名】明細書
【補正対象項目名】００４３
【補正方法】変更
【補正の内容】
【００４３】
上記の構成によれば、照明手段からの照明光によって照明された被測定試料の反射光および前記照明光そのものである参照光を、それぞれ複数の波長成分に分離して、相互に対応する各波長成分の受光レベルの相対比を求めることで、前記被測定試料の分光反射特性を求めるようにした分光反射特性測定装置を校正するにあたって、分光反射特性測定装置は、前記反射光および照明光を波長分離手段で複数の各波長成分に分離し、しかも低輝度まで測定するので、たとえばフォトダイオードと電流電圧変換回路とを備えて成る受光手段からの出力としては、微弱な光電流がハイゲインのアンプで増幅されることになる。そこで、所望とする感度を得るための前記ハイゲインを実現する、特に帰還抵抗に関して、湿度によるリーク抵抗が形成され、その影響を受けることになる。前記リーク抵抗の抵抗値は、前記湿度によって変化する。
【手続補正１０】
【補正対象書類名】明細書
【補正対象項目名】００４４
【補正方法】変更
【補正の内容】
【００４４】
このため、上記発明では、各波長成分の出力の相対比を補正するために、各波長成分の前記相対比の補正係数を設定し、演算制御手段において、前記相対比を求めるとともに、たとえばその補正係数と乗算することで、前記湿度に対する補正を行うようにする。そして、比較的短い時間で変化する前記リーク抵抗の抵抗値に対応して、前記補正係数を校正するために、補正用照明手段を設け、これを前記校正時に点灯し、これによって得られた各波長成分の相対比を各波長成分に設定される補正係数と演算した結果が、予め記憶されている基準値と一致するように前記補正係数を校正することで、その時点での前記リーク抵抗によるゲインのずれを補正する。その後、実際の測定にあたっては、その校正された補正係数と各波長成分の相対比とを演算し、前記被測定試料の分光反射特性を求める。
【手続補正１１】
【補正対象書類名】明細書
【補正対象項目名】００４８
【補正方法】変更
【補正の内容】
【００４８】
本発明の各態様の分光強度測定装置は、以上のように、被測定光を複数の波長成分に分離して、複数の受光手段で各波長成分の分光強度を求めるようにした、分光輝度計と称される分光強度測定装置を校正するにあたって、該分光強度測定装置では、受光手段において、微弱な光電流がハイゲインのアンプで増幅されることになり、所望とする感度を得るための前記ハイゲインを実現する、特に帰還抵抗に関して、湿度によるリーク抵抗が形成され、その影響を受けることになるので、各受光手段には補正係数を設定し、前記各受光手段からの出力レベルを、たとえばその補正係数と乗算することで、前記湿度に対する補正を行うようにする。さらに、比較的短い時間で変化する前記リーク抵抗の抵抗値に対応して、前記補正係数を設定するために、補正用照明手段を設け、これを前記校正時に点灯し、これによって得られた各受光手段からの出力レベルを各受光手段に設定される補正係数と演算した結果が、予め記憶されている基準値と一致するように前記補正係数を校正することで、その時点での前記リーク抵抗によるゲインのずれを補正する。その後、実際の測定にあたっては、その校正された補正係数と各受光手段からの出力レベルとを演算し、前記各波長成分の分光強度を求める。
【手続補正１２】
【補正対象書類名】明細書
【補正対象項目名】００５０
【補正方法】変更
【補正の内容】
【００５０】
さらにまた、本発明の各態様の分光反射特性測定装置は、以上のように、積分球内などで、被測定試料を照明手段からの照明光によって照明し、それによる反射光を複数の波長成分に分離して、前記各波長成分毎の受光手段でそれぞれ受光する一方、前記照明光そのものである参照光も同様に複数の波長成分に分離して、前記各波長成分毎の受光手段でそれぞれ受光し、相互に対応する各波長成分の受光レベルの相対比を求めることで、前記被測定試料の分光反射特性を求めるようにした、分光測色計と称される分光反射特性測定装置を校正するにあたって、該分光反射特性測定装置では、受光手段において、微弱な光電流がハイゲインのアンプで増幅されることになり、所望とする感度を得るための前記ハイゲインを実現する、特に帰還抵抗に関して、湿度によるリーク抵抗が形成され、その影響を受けることになるので、各波長成分の前記相対比には補正係数を設定し、前記相対比を、たとえばその補正係数と乗算することで、前記湿度に対する補正を行うようにする。さらに、比較的短い時間で変化する前記リーク抵抗の抵抗値に対応して、前記補正係数を設定するために、補正用照明手段を設け、これを前記校正時に点灯し、これによって得られた各波長成分の相対比を各波長成分に設定される補正係数と演算した結果が、予め記憶されている基準値と一致するように前記補正係数を校正することで、その時点での前記リーク抵抗によるゲインのずれを補正する。その後、実際の測定にあたっては、その校正された補正係数と各波長成分の相対比とを演算し、前記被測定試料の分光反射特性を求める。